(57)【要約】【課題】頂板外周部から内外両筒を垂下するキャップ本体と、該キャップ本体上面へ嵌合させた蓋体とを各後部でヒンジ連結し、蓋体開蓋でキャップ本体頂壁に付設した小ノズルから液体注出可能とする蓋体付きキャップにおいて、蓋体開放操作が容易とした。【解決手段】キャップ本体頂板３と外筒５上部との各左右両部の前後両側と、該頂板左右両部の下面を左右外方へ延長した外筒左右両部とに切離し線８，９を穿設して弾性板１０，１０  と、横設板１１，１１  とを形成し、横設板下面へ下内方への傾斜面１３，１３  を付形し、両弾性板上部を内方押込みすることで、弾性板上端が傾斜面へ圧接し、横設板外端を押上げすることで蓋体２１が上昇可能に形成した。【選択図】    図３
2004359240.tif 000002
【特許請求の範囲】
【請求項１】
注出孔２ａを有する頂板３から容器体口頸部外面へ嵌合させる内筒４と該内筒を囲む外筒５とを垂下し、かつ外筒上端部を小外径部７とするキャップ本体１と、上記注出孔閉塞部付き頂壁２３外周から周壁２４を垂下する蓋体２１とを、各後部でヒンジ連結したキャップにおいて、
上記キャップ本体頂板３と外筒５上部との各左右両部の前後両側と、該頂板下面を外方へ延長した外筒左右両部とに、切離し線８，９を穿設して、左右一対の起立弾性板１０，１０  と、横設板１１，１１  とを形成して、弾性板上端面へ横設板外端部下面を載置させ、又下内方への傾斜面１３，１３  を横設板下面へ付形させ、
又、弾性板１０、１０の上端部外面と該外面と対向する蓋体周壁部分内面とへ係合手段を付形すると共に両横設板の外端部を蓋体左右両部内面へ付形した下向き係合面２６，２６  下面へ係合させておき、
上記両弾性板１０，１０  を内方押込みすることで、上記係合手段が外れると共に弾性板上端が傾斜面１３，１３  へ圧接し、横設板外端部および該外端部が係合する下向き係合面２６，２６  を介して蓋体を押上げ可能に形成した
ことを特徴とする蓋体付きキャップ。
【請求項２】
注出孔２ａを有する頂板３から容器体口頸部外面へ嵌合させる内筒４と該内筒を囲む外筒５とを垂下し、かつ外筒上端部を小外径筒部７とするキャップ本体１と、上記注出孔閉塞部付き頂壁２３外周から周壁２４を垂下する蓋体２１とを、各後部でヒンジ連結したキャップにおいて、
上記キャップ本体頂板３と外筒５上部との各前部の左右両側と、該頂板下面を延長した外筒前部部分とへ、切離し線８，９を穿設して、起立弾性板１０と横設板１１とを形成して、弾性板上端面へ横設板の前端部下面を載置させ、又下後方への傾斜面１３を横設板下面へ付設させ、
又、弾性板１０の上端部前面と該前面と対向する蓋体周壁部分とへ係合手段を付形すると共に横設板１１の前端部を蓋体周壁前部内面に付形した下向き係合面２６下面へ係合させておき、
上記弾性板１０上部を外筒内方へ押込みすることで、上記係合手段が外れると共に弾性板上端が傾斜面１３へ圧接し、横設板前部を上前方へ弾性変形させて、上記下向き係合面２６を介して蓋体を押上げ可能に形成した
ことを特徴とする蓋体付きキャップ。
【請求項３】
注出孔２ａを有する頂板３から容器体口頸部外面へ嵌合させる内筒４と該内筒を囲む外筒５とを垂下し、かつ外筒上端部を小外径部７とするキャップ本体１と、注出孔閉塞部付き頂壁３外周から周壁２４を垂下する蓋体２１とを、各後部でヒンジ連結したキャップにおいて、
上記キャップ本体頂板３と外筒５上部との各左右両部の前後両側に、切離し線８，８を穿設してそれ等両切離し線間の外筒部分を弾性板１０，１０  に、かつ頂板部分を、中間部に屈折線１７を有する屈折板部１８，１８  に、それぞれ形成し、
又、弾性板１０、１０の上端部外面と該外面と対向する蓋体周壁部分とへ係合手段を付形すると共に屈折板部１８，１８  上方の蓋体頂壁部分からは押下げ板２５，２５  を垂下させておき、
上記両弾性板上部を内方へ押込むことで、上記係合手段が外れると共に上記屈折板部の中間部が起立して押下げ板２５を介して蓋体を押上げ可能に形成した
ことを特徴とする蓋体付きキャップ。
【請求項４】
注出孔２ａを有する頂板３から容器体口頸部外面へ嵌合させる内筒４と該内筒を囲む外筒５とを垂下し、かつ外筒上端部を小外径筒部７とするキャップ本体１と、上記注出孔閉塞部付き頂壁２３外周から周壁２４を垂下する蓋体２１とを、各後部でヒンジ連結したキャップにおいて、
上記キャップ本体頂板３と、外筒５上部の前部の左右両側に切離し線８，８を穿設してそれ等両切離し線間の外筒部分を弾性板１０に、かつ頂板部分を、中間部に肉薄の屈折線１７を有する屈折板部１８に、それぞれ形成し、
又、弾性板１０の上端部前面と該前面と対向する蓋体周壁部分とへ係合手段を付形すると共に屈折板部上方の蓋体頂壁部分からは押下げ板２５を垂下させておき
上記弾性板１０上部を内方へ押込むことで、上記係合手段が外れると共に上記屈折板部１８の中間部が起立して押下げ板を介して蓋体を押上げ可能に形成した
ことを特徴とする蓋体付きキャップ。
【発明の詳細な説明】
【０００１】
【発明の属する技術分野】
本発明は液体等注出用の蓋体付きキャップに関する。
【０００２】
【従来の技術】
小ノズルを起立する頂板から容器体口頸部外面へ嵌合させる内筒と該内筒を囲む外筒とを垂下し、該外筒上端部を小外径筒部とするキャップ本体と、上記小ノズル外面へ嵌合して密閉する小筒部を下面に有する頂壁外周から周壁を垂下して、該周壁下端部を上記小外径筒部へ嵌合させた蓋体とを、各後部でヒンジ連結し、該ヒンジを中心とする回動で蓋体の開閉が自在とし、又容器体外筒の左右両上半部を外筒から切離して弾性板に形成し、これ等弾性板を内方へ押込むと蓋体頂壁の裏面から垂下させた突部の斜面へ弾性板上端から延長された先端部が圧接して、突部を介して蓋体を押上げするよう設けた蓋体付きキャップが知られている（特許文献１）。
【０００３】
【特許文献１】
特許第３２７３３５９号公報
【０００４】
【発明が解決しようとする課題】
本発明も上記従来例のような小ノズル付きのキャップ本体後部へ、小ノズル密閉用の小筒部付き蓋体後部をヒンジ連結させて、蓋体を嵌合させたキャップに関するものであり、従来と異る機構での開蓋が容易としたものである。
【０００５】
【課題を解決するための手段】
第１の手段として、注出孔２ａを有する頂板３から容器体口頸部外面へ嵌合させる内筒４と該内筒を囲む外筒５とを垂下し、かつ外筒上端部を小外径部７とするキャップ本体１と、上記注出孔閉塞部付き頂壁２３外周から周壁２４を垂下する蓋体２１とを、各後部でヒンジ連結したキャップにおいて、
上記キャップ本体頂板３と外筒５上部との各左右両部の前後両側と、該頂板下面を外方へ延長した外筒左右両部とに、切離し線８，９を穿設して、左右一対の起立弾性板１０，１０  と、横設板１１，１１  とを形成して、弾性板上端面へ横設板外端部下面を載置させ、又下内方への傾斜面１３，１３  を横設板下面へ付形させ、
又、弾性板１０、１０の上端部外面と該外面と対向する蓋体周壁部分内面とへ係合手段を付形すると共に両横設板の外端部を蓋体左右両部内面へ付形した下向き係合面２６，２６  下面へ係合させておき、
上記両弾性板１０，１０  を内方押込みすることで、上記係合手段が外れると共に弾性板上端が傾斜面１３，１３  へ圧接し、横設板外端部および該外端部が係合する下向き係合面２６，２６  を介して蓋体を押上げ可能に形成した。
【０００６】
第２の手段として、注出孔２ａを有する頂板３から容器体口頸部外面へ嵌合させる内筒４と該内筒を囲む外筒５とを垂下し、かつ外筒上端部を小外径筒部７とするキャップ本体１と、上記注出孔閉塞部付き頂壁２３外周から周壁２４を垂下する蓋体２１とを、各後部でヒンジ連結したキャップにおいて、
上記キャップ本体頂板３と外筒５上部との各前部の左右両側と、該頂板下面を延長した外筒前部部分とへ、切離し線８，９を穿設して、起立弾性板１０と横設板１１とを形成して、弾性板上端面へ横設板の前端部下面を載置させ、又下後方への傾斜面１３を横設板下面へ付設させ、
又、弾性板１０の上端部前面と該前面と対向する蓋体周壁部分とへ係合手段を付形すると共に横設板１１の前端部を蓋体周壁前部内面に付形した下向き係合面２６下面へ係合させておき、
上記弾性板１０上部を外筒内方へ押込みすることで、上記係合手段が外れると共に弾性板上端が傾斜面１３へ圧接し、横設板前部を上前方へ弾性変形させて、上記下向き係合面２６を介して蓋体を押上げ可能に形成した。
【０００７】
第３の手段として、注出孔２ａを有する頂板３から容器体口頸部外面へ嵌合させる内筒４と該内筒を囲む外筒５とを垂下し、かつ外筒上端部を小外径部７とするキャップ本体１と、注出孔閉塞部付き頂壁３外周から周壁２４を垂下する蓋体２１とを、各後部でヒンジ連結したキャップにおいて、
上記キャップ本体頂板３と外筒５上部との各左右両部の前後両側に、切離し線８，８を穿設してそれ等両切離し線間の外筒部分を弾性板１０，１０  に、かつ頂板部分を、中間部に屈折線１７を有する屈折板部１８，１８  に、それぞれ形成し、
又、弾性板１０、１０の上端部外面と該外面と対向する蓋体周壁部分とへ係合手段を付形すると共に屈折板部１８，１８  上方の蓋体頂壁部分からは押下げ板２５，２５  を垂下させておき、
上記両弾性板上部を内方へ押込むことで、上記係合手段が外れると共に上記屈折板部の中間部が起立して押下げ板２５を介して蓋体を押上げ可能に形成した。
【０００８】
第４の手段として、注出孔２ａを有する頂板３から容器体口頸部外面へ嵌合させる内筒４と該内筒を囲む外筒５とを垂下し、かつ外筒上端部を小外径筒部７とするキャップ本体１と、上記注出孔閉塞部付き頂壁２３外周から周壁２４を垂下する蓋体２１とを、各後部でヒンジ連結したキャップにおいて、
上記キャップ本体頂板３と、外筒５上部の前部の左右両側に切離し線８，８を穿設してそれ等両切離し線間の外筒部分を弾性板１０に、かつ頂板部分を、中間部に肉薄の屈折線１７を有する屈折板部１８に、それぞれ形成し、
又、弾性板１０の上端部前面と該前面と対向する蓋体周壁部分とへ係合手段を付形すると共に屈折板部上方の蓋体頂壁部分からは押下げ板２５を垂下させておき
上記弾性板１０上部を内方へ押込むことで、上記係合手段が外れると共に上記屈折板部１８の中間部が起立して押下げ板を介して蓋体を押上げ可能に形成した。
【０００９】
【発明の実施の形態】
以下図面について説明する。まず図１から図３が示す第１実施形態について説明すると、１はキャップ本体であり、該キャップ本体は、左右方向へ長い楕円形状としており、小ノズル２を起立する頂板３から、図２が示すように容器体口頸部の外面へ嵌合させる内筒４と該内筒４を囲んで外筒５を垂下し、外筒上端部は図１のように上向き段部６を介して小外径筒部７に形成している。内筒４は口頸部嵌合のため眞円としており、外筒５は楕円形状をなす。上記小ノズル２は半球形状をなし、その上部前面を斜面として該斜面中心にノズル口２ａを開口させている。
【００１０】
上記キャップ本体頂板３と外筒５上部との各左右両部の前後両側と、該頂板左右両側の下面を左右外方へ延長した外筒左右両部の上部部分とに、切離し線８，９を穿設して、左右一対の起立する弾性板１０，１０  と横設板１１，１１  とを形成して、弾性板１０，１０  上端面へ横設板１１，１１  の外端部下面を載置させている。又図２が示すように横設板１１，１１  下面へはほぼ三角形状の突部１２，１２  を付設して、それ等突部の外方側の側面を、下内方への傾斜面１３，１３  に形成している。その横設板基端は図示のように薄肉部１１ａ，１１ａ  とするとよい。
【００１１】
弾性板１０，１０  の上端部外面は、上向き段部を介して小外径部とし、かつ該小外径部の上端外面へ第１係合突条１４を横設し、又上向き段部の直ぐ下方の弾性板部分は外方張出しにより肉厚の釦状押込み部１５，１５  に形成している。１６は口頸部内面へ嵌合させるシール筒である。
【００１２】
上記傾斜面１３，１３  は、図３が示すように、弾性板上部の内方押込みによって弾性板１０，１０  上端が傾斜面１３，１３  へ圧接することで、横設板１１，１１  を弾性変形させてその外端部を押上げ可能に形成しておく。
【００１３】
２１は蓋体で、該蓋体はキャップ本体１の後方上部へヒンジ２２を介して連結させている。該ヒンジは弾性反転可能なヒンジで行うとよく、該ヒンジを中心とする回動により蓋体２１はキャップ本体上面へ嵌合可能に形成する。該嵌合時において、頂壁２３外周から垂下する周壁２４下部を小外径筒部７外面へ嵌合させ、又周壁下端面を上向き段部６上面へ載置可能にしている。該蓋体もキャップ本体と同様に平面楕円形状としている。
【００１４】
該蓋体は既述小ノズル２外面へ嵌合させて注出孔２ａを密閉できる小筒部２５を頂壁２３から垂下している。又図２が示すように周壁左右両部の内面には押下げ板２５，２５  を縦設しており、該押下げ板下端面が下向き係合面２６，２６  を形成して既述横設板１１，１１  の外端部上面へ接し、その外端部を、弾性板１０，１０  上端面との間で挟持する。又蓋体周壁左右両部の下端部内面へは、既述係合突条１４，１４  を嵌合させる凹溝２７，２７  を横設している。これ等が凹凸の係合部をなす。尚蓋体周壁２４の前面へは滑止め突条２８を付設しており、又該周壁前部の下部内面と、該内面に対応するキャップ本体の小外径筒部７の前面上部とには閉蓋によって係合する係合手段２９，２９  を設けている。３０は小ノズル２外面へ嵌合させ密封する小筒部である。
【００１５】
上記構成において、図２が示す閉蓋状態から図３のように弾性板１０，１０  上部を押圧すると、係合突条１４は凹溝２７から外れ、弾性板上端が傾斜面１３，１３  を圧接する。よって横設板１１，１１  外方は図示のように上方へ押上げられることとなり、従って押下げ板２５，２５  を介して蓋体前部も共に押上げる。該状態からヒンジ２２を中心に開蓋させればよい。該開蓋状態から容器体胴部を圧搾等することで、容器体内液体を注出する。
【００１６】
閉蓋の際は、ヒンジ２２を中心に回動させて蓋体２１を戻し、キャップ本体に対して押下げする。すると蓋体周壁の左右両部下端内面へ付形した斜面へ弾性板１０，１０  上端が接して押込まれ、係合突条１４，１４  が凹溝２７，２７  内へ嵌合して閉蓋される。
【００１７】
尚このとき、小ノズル２外面へ小筒部３０が気密に嵌合する。
【００１８】
以下他の実施形態について説明するが、第１実施形態と同一部分については同一符号を付することで説明を省略する。
【００１９】
図４は第２実施形態を示す。該実施形態は第１実施形態における開蓋機構をキャップ本体および蓋体前部にだけ設けたものであり、その他部分は第１実施形態と同じでよい。開閉蓋操作は前面に設けた弾性板１０の押込みと、蓋体前部の押下げで行う。
【００２０】
図５から図７は第３実施形態を示す。
【００２１】
該実施形態においては、キャップ本体１の頂板３と、外筒５上部との各左右両部の前後両側に切離し線８，８を穿設して、それ等両切離し線間の外筒部分を弾性板１０，１０  に、かつ頂板部分を、それ等頂板部分の内外両部と中間部とにそれぞれ屈折線１７を有する屈折板部１８，１８  に、それぞれ形成している。そのようにすることで、それ等弾性板と屈折板部とは、図７が示すように弾性板上部の内方押込みで、屈折板部が横向きのくの字状に上方起立するよう設けておく。
【００２２】
蓋体２１は、図５が示すように、第１実施形態における押下げ板縦設に代えて、横断面コ字形状の押下げ板２５，２５  としている。これ等押下げ板はコ字の開口側端面を周壁内面へ、又コ字の連結側端板２５ａ  を周壁内方側に位置させて頂壁２３および周壁２４内面へ接続させており、図６、図７が示すように、閉蓋時には押下げ板下端面が形成する下向き係合面２６が屈折板部１８上面へ接し、又屈折板部１８が屈折してく字形状となったときは、その上端面が上記コの字の前後平行板２５ｂ，２５ｂ  下端面が形成する下向き係合面２６を押上げするよう設けている。
【００２３】
該実施形態の場合は、図６が示す閉蓋状態からの両弾性板上部押込みで図７のように屈折板部が屈折して起立することで蓋体前部が押上げられ、又弾性板が弾性復帰した状態からの蓋体前部押下げで閉蓋できる。
【００２４】
図８は第４実施形態を示す。該第４実施形態は、第３実施形態で左右一対として設けた開閉蓋機構の一方を、キャップ本体および蓋体の前部にだけ設けたものであり、その他部分は第３実施形態と同じである。開閉蓋の操作も、キャップ本体前部の弾性板上部の後方押込みと、蓋体前部と押下げで行うことが出来る。
【００２５】
尚既述各実施形態において、各キャップ本体と蓋体とは合成樹脂材で一体成形している。
【００２６】
尚既述注出孔２ａと、該注出孔を密閉する蓋体頂壁の密閉部とは、どのように行ってもよく例えば注出孔２ａを頂板３に直接穿設し、又蓋体下面から閉塞栓を垂下させて、閉蓋時に密閉され、開蓋により開孔するようにすることが考えられる。
【００２７】
【発明の効果】
本発明は既述構成とするものであり、各請求項のようにすることで、既述開蓋操作以外の方法では開蓋できず、よって幼児による開蓋を防止して不測の事故を防止できる。
【００２８】
請求項１のようにすることで、キャップ本体外筒５の左右両部に形成した弾性板１０，１０  上部の押込みで、横設板１１，１１  を基端を中心として上方へ揺動させることが出来、該揺動で蓋体前部を押上げできるから、その蓋体の開蓋を容易に行うことが出来る。又傾斜面１３，１３  はキャップ本体頂板に形成した横設板１１，１１  下面へ形成するから、その傾斜面を長く、かつ緩やかに形成でき、該横設板による蓋体の押上げが容易となる。
【００２９】
請求項２のようにすることで、請求項１の上記弾性板や横設板等で形成する開閉蓋機構をキャップ前部にだけ設ければよいこととなり、構造を簡易化することが出来る。
【００３０】
請求項３のようにすることで、弾性板１０，１０  上部を内方押込みすることで、屈折板部１８，１８  を屈折状態で起立させることが出来、又該起立で蓋体前部を押上げ出来るから、その開蓋が容易となる。
【００３１】
請求項４のようにすることで、請求項３の弾性板や屈折板部等で形成する開閉蓋機構を簡易化できる。
【図面の簡単な説明】
【図１】本発明キャップを開蓋状態で示す斜視図である。
【図２】図１キャップの断面図である。
【図３】図２状態から蓋体押上げ操作を行った状態で示す断面図である。
【図４】第２実施形態のキャップを開蓋状態で示す斜視図である。
【図５】第３実施形態で示すキャップを、開蓋状態で示す斜視図である。
【図６】図５キャップの断面図である。
【図７】図６状態から蓋体押上げ操作を行った状態で示す断面図である。
【図８】第４実施形態で示すキャップを、開蓋して示す斜視図である。
【符号の説明】
１…キャップ本体                    ４…内筒
５…外筒                                    ６…上向き段部
７…小外径筒部                        ８…切離し線
９…切離し線                            １０…弾性板
１３…傾斜面                                １４…係合突条
１８…屈折板部                            ２１…蓋体
２５…押下げ板                            ２６…下向き段部
【図１】
2004359240.tif 000003
【図２】
2004359240.tif 000004
【図３】
2004359240.tif 000005
【図４】
2004359240.tif 000006
【図５】
2004359240.tif 000007
【図６】
2004359240.tif 000008
【図７】
2004359240.tif 000009
【図８】
2004359240.tif 000010